【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
マルチメディア通話サービスを遂行するためのマルチメディア通信セッション開設及び管理するためのサーバ装置であって、
セッション開始要求クライアント及び少なくとも一つのセッション参加クライアントとのパケットデータを送受信するデータ送受信部と、
セッション参加要求メッセージに含まれたメディアタイプ及びメディア属性情報を格納するメモリ部と、
前記セッション参加要求メッセージの受信を制御し、メディアタイプ及びメディア属性情報の格納を制御し、前記少なくとも一つのセッション参加クライアントから最初の応答メッセージの受信を制御し、前記最初の応答メッセージに含まれた前記少なくとも一つのメディアタイプと、メモリに格納された前記少なくとも一つのメディアタイプとを比較し、伝送可能なメディアタイプを支援するマルチメディア通信セッションを開設するための動作として、セッション開始要求クライアントへの応答メッセージの伝送を制御するセッション処理部と、を含み、
前記最初の応答メッセージは、少なくとも一つのセッション参加クライアントから支援されるメディアタイプを有することを特徴とする装置。
【請求項２】
前記セッション処理部は、前記最初の応答メッセージに含まれたメディアタイプと前記格納されたメディアタイプとを比較し、前記最初の応答メッセージに含まれたメディアタイプと前記格納されたメディアタイプとが同一であると、前記格納されたすべてのメディアタイプに対して伝送可能な状態であることを示す応答メッセージを前記セッション開始要求クライアントに伝送することを特徴とする請求項１に記載の装置。
【請求項３】
前記セッション処理部は、前記最初の応答メッセージに含まれたメディアタイプと前記格納されたメディアタイプとを比較し、前記最初の応答メッセージに含まれたメディアタイプと前記格納されたメディアタイプが同一でないと、前記最初の応答メッセージに含まれたメディアタイプに対して伝送可能な状態であることを示す応答メッセージを前記セッション開始要求クライアントに伝送することを特徴とする請求項１に記載の装置。
【請求項４】
前記セッション処理部は、前記伝送可能なメディアに対するユーザーデータグラムプロトコル(ＵＤＰ)ポート番号を割り当て、セッション開始要求クライアントに伝送するための前記応答メッセージに挿入することを特徴とする請求項２又は３に記載の装置。
【請求項５】
前記セッション参加要求メッセージに応答して受信された応答メッセージが最初の応答メッセージでない場合、
前記応答メッセージに含まれたメディアタイプが現在前記セッション開始要求クライアントと形成されたセッションで支援するメディアタイプに含まれると、前記セッション処理部は、セッションアップデートを遂行しないことを特徴とする請求項１に記載の装置。
【請求項６】
前記セッション参加要求メッセージに応答して受信された応答メッセージが最初の応答メッセージでない場合、
前記応答メッセージに含まれたメディアタイプが現在前記セッション開始要求クライアントと形成されたセッションで支援するメディアタイプ以外のメディアタイプである場合、前記セッション処理部は、新たに支援するメディアタイプが伝送可能になるようにセッションのアップデートを遂行することを特徴とする請求項１に記載の装置。
【請求項７】
前記新たに支援するメディアタイプが伝送可能になるようにセッションをアップデートする場合に、前記セッション処理部は、前記予め格納したメディアタイプ別メディア属性に従ってセッションアップデートを遂行することを特徴とする請求項６に記載の装置。
【請求項８】
前記セッション処理部は、
セッションアップデートのために新たに支援するメディアタイプに割り当てられたＵＤＰポート番号を含むセッション参加要求メッセージをセッション開始要求クライアントに伝送することを特徴とする請求項６に記載の装置。
【請求項９】
すべてのメディアタイプが既に最初のセッション開設時にＵＤＰ番号が割り当てられ、前記セッション処理部が新たに支援されるメディアタイプを受信し、前記受信した新たに支援されるメディアタイプを示すメディア特性値をアップデートするメッセージを伝送する場合、前記アップデートメッセージは、リアルタイム伝送制御(ＲＴＣＰ)チャンネルを用いるメディアバースト制御プロトコル(ＭＢＣＰ)メッセージであることを特徴とする請求項６に記載の装置。
【請求項１０】
サーバにおいて、マルチメディアセッションサービスを遂行するためのマルチメディア通信セッションを開設及び管理するための方法であって、
メディアタイプ及びメディア属性情報を含むセッション参加要求メッセージをセッション開始要求クライアントから受信するステップと、
前記セッション参加要求メッセージに含まれたメディアタイプ及びメディア属性情報をメモリに格納するステップと、
セッション参加を要求する前記セッション参加要求メッセージを少なくとも一つのセッション参加クライアントに伝送するステップと、
少なくとも一つのセッション参加クライアントから、前記少なくとも一つのセッション参加クライアントが支援するメディアタイプを含む最初の応答メッセージを受信するステップと、 、
前記最初の応答メッセージに含まれたメディアタイプと、前記メモリに格納されたメディアタイプとを比較するステップと、
少なくとも一つの伝送可能なメディアタイプを支援するマルチメディア通信セッションを開設するために、セッション開始要求クライアントに応答メッセージを伝送するステップと、
を有することを特徴とする方法。
【請求項１１】
前記応答メッセージを伝送するステップは、
前記最初の応答メッセージに含まれたメディアタイプと前記格納されたメディアタイプが同一であると、前記格納されたすべてのメディアタイプに対して伝送可能な状態であることを示す応答メッセージを前記セッション開始要求クライアントに伝送するステップを有することを特徴とする請求項１０に記載の方法。
【請求項１２】
前記応答メッセージを伝送するステップは、
前記最初の応答メッセージに含まれたメディアタイプと前記格納されたメディアタイプとを比較して同一でないと、前記最初の応答メッセージに含まれたメディアタイプに対して伝送可能な状態であることを示す応答メッセージを前記セッション開始要求クライアントに伝送するステップをさらに有することを特徴とする請求項１１に記載の方法。
【請求項１３】
前記応答メッセージを伝送するステップは、
前記伝送可能なメディアに対してユーザーデータグラムプロトコル(ＵＤＰ)ポート番号を割り当て、セッション開始要求クライアントに伝送するための前記応答メッセージに挿入するステップを有することを特徴とする請求項１１又は１２に記載の方法。
【請求項１４】
前記セッション参加要求メッセージに応答して受信された応答メッセージが最初の応答メッセージでない場合、前記応答メッセージに含まれたメディアタイプが現在前記セッション開始要求クライアントと形成されたセッションで支援するメディアタイプに含まれるか否かを検査するステップと、
前記検査結果、前記応答メッセージに含まれたメディアタイプが現在前記セッション開始要求クライアントと形成されたセッションで支援するメディアタイプを含んでいると、セッションアップデートを遂行しないステップをさらに有することを特徴とする請求項１１に記載の方法。
【請求項１５】
前記検査結果、前記応答メッセージに含まれたメディアタイプが現在前記セッション開始要求クライアントと形成されたセッションで支援するメディアタイプを含んでいないと、新たに支援するメディアタイプが伝送可能な状態になるようにセッションをアップデートするステップをさらに有することを特徴とする請求項１４に記載の方法。
【請求項１６】
前記セッションをアップデートするステップは、
前記サーバが新たに支援するメディアタイプが伝送可能な状態になるようにセッションをアップデートする場合、前記予め格納したセッション参加要求メッセージに含まれたメディアタイプ別メディア属性に従ってセッションアップデートを遂行するステップを有することを特徴とする請求項１５に記載の方法。
【請求項１７】
前記セッションをアップデートするステップは、
前記セッションアップデートのために新たに支援するメディアタイプに対して割り当てられたＵＤＰポート番号を前記セッション開始要求クライアントに伝送するステップを有することを特徴とする請求項１５に記載の方法。
【請求項１８】
すべてのメディアタイプが既に最初のセッション開設時にＵＤＰ番号が割り当てられ、以後に新たに支援されるメディアタイプの受信によって該当メディアタイプの伝送可能の特性値をアップデートするメッセージを伝送する場合、前記アップデートメッセージは、リアルタイム伝送制御(ＲＴＣＰ)チャンネルを用いるメディアバースト制御プロトコル(ＭＢＣＰ)メッセージであることを特徴とする請求項１５に記載の方法。
【請求項１９】
セッション開始要求クライアント、少なくとも一つのセッション参加クライアント、及びマルチメディア通信セッションを開設及び管理するサーバを含む通信システムのクライアントにおいて、マルチメディア通信セッションを開設する方法であって、
セッション開設に要求されるメディアタイプ及びメディア属性情報を含むセッション参加要求メッセージを生成するステップと、
前記セッション参加要求メッセージを、前記少なくとも一つのセッション参加要求クライアントに伝送するサーバに伝送するステップと、
前記最初の応答メッセージに含まれた少なくとも一つのメディアタイプと前記伝送されたメディアタイプとを比較することによって、伝送可能なメディアタイプでマルチメディア通信セッションを開設するために、前記サーバから応答メッセージを受信するステップと、を有し、
前記最初の応答メッセージは、少なくとも一つのセッション参加クライアントから受信された最初の応答メッセージに含まれた少なくとも一つのメディアタイプが伝送可能な状態であることを示すことを特徴とする方法。
【請求項２０】
前記応答メッセージは、
格納されたすべてのメディアタイプが伝送可能な状態であることを示すことを特徴とする請求項１９に記載の方法。
【請求項２１】
前記応答メッセージは、
前記最初の応答メッセージに含まれた少なくとも一つのメディアタイプが伝送可能な状態であることを示すことを特徴とする請求項１９に記載の方法。
【請求項２２】
前記応答メッセージは、
伝送可能なメディアに割り当てられたユーザーデータグラムプロトコル(ＵＤＰ)ポート番号を含むことを特徴とする請求項２０又は２１に記載の方法。
【請求項２３】
サーバが前記最初の応答メッセージとは異なる応答メッセージを受信し、前記応答メッセージが前記セッション開始要求クライアントとサーバとの間に開設されたセッションを支援する少なくとも一つのメディアタイプと他の少なくとも一つのメディアタイプを含むと、前記セッション開始要求クライアントとサーバとの間に開設されたセッションを支援する少なくとも一つのメディアタイプと他の少なくとも一つのメディアタイプを含むセッション参加要求メッセージを受信するステップと、
前記セッション開始要求クライアントとサーバとの間に開設されたセッションを支援する少なくとも一つのメディアタイプと他の少なくとも一つのメディアタイプを含むセッション参加要求メッセージの受信に対応して、応答メッセージを伝送するステップと、
をさらに有することを特徴とする請求項１９に記載の方法。
【請求項２４】
前記セッション開始要求クライアントとサーバとの間に開設されたセッションを支援する少なくとも一つのメディアタイプと他の少なくとも一つのメディアタイプを含むセッション参加要求メッセージは、少なくとも一つのメディアタイプに割り当てられたＵＤＰポート番号を含むことを特徴とする請求項２３に記載の方法。